(57)【要約】      （修正有）【課題】Ｓ型折り畳みペット用ダイニングテーブルを提供する。【解決手段】当該ダイニングテーブルはプラスチック製テーブル面１と、テーブル面の左右両端の底部に取り付けられる２つの折り畳み可能なテーブル脚２と、を備え、テーブル面の高さは、一致しており、面体は、Ｓ型になるように湾曲し、テーブル面のＳ型湾曲部に従って、少なくとも２つのボウル配置孔１１が交差するように設けられ、２つの折り畳み可能なテーブル脚は、対向するように折り畳まれた後、いずれも、テーブル面の前後の２つの側辺の外に位置し、また左右の対向するテーブル脚は、テーブル面のＳ型湾曲部に従って交差する。本考案において、テーブル脚を折り畳んだ後に相互交差させ、転位状態になり、脚の長さを延長することにより、ダイニングテーブルの高さを大、中型犬に快適な高さにし、限りがある空間により、高さの最大化を実現し、且つ構造が簡単であり、操作しやすい。【選択図】図５
0003212252.tif 000002
【実用新案登録請求の範囲】
【請求項１】
Ｓ型折り畳みペット用ダイニングテーブルであって、当該ペット用ダイニングテーブルは、プラスチック製テーブル面と、テーブル面の左右両端の底部に取り付けられる２つの交差折り畳み可能なテーブル脚と、を備え、
前記テーブル面の高さは、一致しており、面体は、Ｓ型になるように湾曲し、テーブル面の前記Ｓ型湾曲部に従って少なくとも２つのボウル配置孔が交差するように設けられ、
前記２つの折り畳み可能なテーブル脚は、対向するように折り畳まれた後、いずれも、前記テーブル面の前後の２つの側辺の外に位置し，また左右の対向するテーブル脚はテーブル面の前記Ｓ型湾曲部に従って交差し，テーブル面の長さを増加させずに、前記ダイニングテーブルの高さを増加させることを特徴とするＳ型折り畳みペット用ダイニングテーブル。
【請求項２】
前記テーブル面の下部の４つのコーナー部に、ハウジングである４つの回転雄軸がそれぞれ設けられ、該回転雄軸の下部に、三側に開口がある弾性凸状バックルが設けられ、
各テーブル脚の上部の両端に、上記テーブル面の回転雄軸に対応する回転雌軸がそれぞれ設けられ、該回転雌軸は、開口を有する半円形ハウジングであり、該開口の幅は、前記回転雄軸の直径よりも小さく、前記回転雄軸の内部に、凹状バックルが設けられ、該凹状バックルは、前記回転雄軸の弾性凸状バックルに対応し、折り畳まれたテーブル脚をロックするために用いられることを特徴とする
請求項１に記載のＳ型折り畳みペット用ダイニングテーブル。
【請求項３】
テーブル面の上表面の四周に沿って、上に突き出る上フランジが設けられることを特徴とする
請求項２に記載のＳ型折り畳みペット用ダイニングテーブル。
【請求項４】
テーブル面の下底面の四周に沿って、下に突き出る下フランジが設けられ、前記４つの回転雄軸は、それぞれ前記下フランジの４つのコーナー部に設けられることを特徴とする
請求項２又は３に記載のＳ型折り畳みペット用ダイニングテーブル。
【請求項５】
前記下フランジの左右両端に、開口が設けられ、該開口に、外に突き出るリブが設けられることを特徴とする
請求項４に記載のＳ型折り畳みペット用ダイニングテーブル。
【請求項６】
各テーブル脚の両端の回転雌軸の中央に、前記下フランジの左右の開口に対応するロックバックルが設けられ，当該ロックバックルは、テーブル脚が展開される時、前記下フランジの外に突き出るリブに係合するために用いられることを特徴とする
請求項５に記載のＳ型折り畳みペット用ダイニングテーブル。
【請求項７】
前記ロックバックルの中央に、ハンドルが設けられ、該ハンドルは、テーブル脚を折り畳む必要がある場合、手で該ハンドルを引くことにより、ロックバックルを外し、テーブル脚を折り畳み可能にするために用いられることを特徴とする
請求項６に記載のＳ型折り畳みペット用ダイニングテーブル。
【請求項８】
前記回転雌軸の半円形ハウジングの根元部に、該ハウジングの弾性を増加させるための切欠きが設けられることを特徴とする
請求項２に記載のＳ型折り畳みペット用ダイニングテーブル。
【考案の詳細な説明】
【技術分野】
【０００１】
本考案は、ペット用品技術分野に関し、具体的には、Ｓ型折り畳みペット用ダイニングテーブルに関する。
【背景技術】
【０００２】
経済が日増しに成長することに伴い、ペットはますます多くの家庭の重要な一員となってきた。そのため、日常生活において、人々はペットの食事と健康に重大な関心を持っている。従来のペット用ボウルとして単純なボウルを用いてそのまま床に置いて、ペットに給餌する。このような給餌形態は、健康に良くない。常に首を下げて食事すると頚椎症を引き起こしやすい。特に、中大型犬は疾患を患いやすい。従って、ボウルを配置することができるか又はボウルを直接的に備えるペット用ダイニングテーブルが市場に出てくる。このようなペット用ダイニングテーブルは、一般的には、体積が大きく、占有空間、特に輸送中の包装体積が大きいため、輸送コストが高く、収納しにくいことを引き起こしてしまう。
【考案の概要】
【考案が解決しようとする課題】
【０００３】
背景技術に鑑み、本考案は、携帯、収納しやすくて使用に影響を与えない新型ダイニングテーブルを提供する必要がある。
【課題を解決するための手段】
【０００４】
本考案の目的は以下の技術的解決手段により実現される。
Ｓ型折り畳みペット用ダイニングテーブルであって、当該ペット用ダイニングテーブルは、プラスチック製テーブル面と、テーブル面の左右両端の底部に取り付けられる２つの交差折り畳み可能なテーブル脚と、を備え、前記テーブル面の高さは、一致しており、面体は、Ｓ型になるように湾曲し、テーブル面の前記Ｓ型湾曲部に従って少なくとも２つのボウル配置孔が交差するように設けられ、前記２つの折り畳み可能なテーブル脚は、対向するように折り畳まれた後、いずれも、前記テーブル面の前後の２つの側辺の外に位置し，また左右の対向するテーブル脚はテーブル面の前記Ｓ型湾曲部に従って交差し，テーブル面の長さを増加させずに、前記ダイニングテーブルの高さを増加させる。
【０００５】
好ましくは、前記テーブル面の下部の４つのコーナー部に、ハウジングである４つの回転雄軸がそれぞれ設けられ、該回転雄軸の下部に、三側に開口がある弾性凸状バックルが設けられる。
各テーブル脚の上部の両端に、上記テーブル面の回転雄軸に対応する回転雌軸がそれぞれ設けられ、該回転雌軸は、開口を有する半円形ハウジングであり、該開口の幅は、前記回転雄軸の直径よりも小さく、前記回転雄軸の内部に、凹状バックルが設けられ、該凹状バックルは、前記回転雄軸の弾性凸状バックルに対応し、折り畳まれたテーブル脚をロックするために用いられる。
【０００６】
好ましくは、テーブル面の上表面の四周に沿って、上に突き出る上フランジが設けられる。
【０００７】
好ましくは、テーブル面の下底面の四周に沿って、下に突き出る下フランジが設けられ、前記４つの回転雄軸は、それぞれ前記下フランジの４つのコーナー部に設けられる。
【０００８】
好ましくは、前記下フランジの左右両端に、開口が設けられ、該開口に、外に突き出るリブが設けられる。
【０００９】
好ましくは、各テーブル脚の両端の回転雌軸の中央に、前記下フランジの左右の開口に対応するロックバックルが設けられる。テーブル脚が展開される時、プラスチックの弾性により、該ロックバックルはテーブル面の底部のフランジの開口の外に突き出るリブに係合し、ロックされたテーブル脚が揺れ動くことがなく、それによりダイニングテーブルの安定性を保証する。
【００１０】
好ましくは、前記ロックバックルの中央にハンドルが設けられ、該ハンドルの役割は、テーブル脚を折り畳む必要がある場合、手で該ハンドルを引くことにより、プラスチックの弾性変形を発生させ、ロックバックルを外し、テーブル脚を折り畳み可能にすることである。
【００１１】
好ましくは、前記回転雌軸の半円形ハウジングの根元部に切欠きが設けられ、該切欠きの役割は、該ハウジングの弾性を増加させ、テーブル脚の回転雌軸をテーブル面の回転雄軸に嵌着させることである。
【００１２】
従来技術に比べて、本考案は以下のメリットを有する。
１、「Ｓ」状外形設計により、テーブル脚を折り畳んだ後に相互交差させ、転位状態になり、脚の長さを延長することにより、ダイニングテーブルの高さを大、中型の犬に快適な高さにし、限りがある空間により、高さの最大化を実現する。
２、構造が簡単であり、主に二部分で構成され、余計な部品がなく、テーブル脚が左右兼用のものであり、金型のコスト及び生産コストを節約し、また部品が少ないため生産中の様々なミスによる不具合を効果的に避けることもできる。
３、取り付けと使用が簡単であり、取り付ける時に、テーブル脚の回転軸をテーブル面の回転軸に係着させればよく、他の補助工具を必要とせず、生産効率を効果的に向上させることができる。使用時、折り畳み状態と展開状態はいずれもバックルによりロックされ、同様に補助工具を必要とせず、且つ折り畳み中にいずれの着脱工程もなく、（市販されている類似品は一般的にはテーブル脚の取り外しにより類似した機能を実現する）ユーザの不適当な操作による製品の損傷を効果的に減少し、製品の耐用年数を効果的に延長し、かつ使用もより便利である。
４、空間を最大限利用し、折り畳み後の体積が減少し、包装、輸送及び貯蔵コストを大幅に低下させ、製品の大規模な普及に寄与し、またユーザの貯蔵体積を効果的に節約し、収納がより便利である。
【図面の簡単な説明】
【００１３】
【図１】本考案の実施例の展開状態の構造模式図を示す。
【図２】本考案の実施例の折り畳み状態の構造模式図を示す。
【図３】本考案の実施例の折り畳み状態の平面図を示す。
【図４】本考案の実施例の折り畳み状態の底面図を示す。
【図５】本考案の実施例の分解構造の模式図を示す。
【図６】本考案の実施例の分解構造の模式図を示す。
【図７】本考案の実施例の展開状態及びその部分Ａの拡大構造模式図を示す。
【図８】本考案の実施例の折り畳み状態及びその部分Ｂの拡大構造模式図を示す。
【考案を実施するための形態】
【００１４】
本考案の目的、技術的解決手段及びメリットをより明確にするために、以下に図面と実施例を組み合わせて本考案を更に詳しく説明する。ここで説明した具体的な実施例は、本考案を解釈するためのものに過ぎず、本考案を限定するものではないと理解されるべきである。
【００１５】
本実施例はＳ型折り畳みペット用ダイニングテーブルを提供し、それはテーブル面１及びテーブル１の両端の底部に設けられる２つの折り畳み可能なテーブル脚２で構成される。
【００１６】
テーブル面１はプラスチック製である。テーブル面１に、ボウル１２を配置するための２つのボウル配置孔１１が設けられる。配置孔１１は貫通孔であってもよく、ブラインドビアであってもよい。貫通孔である時、他のボウルと組み合わせる必要がある。テーブル面の形状として、俯瞰すると略「Ｓ」型になる。それにより配置孔１１内に配置される二つのボウル１２をずらすことができる。該設計の目的はテーブル脚の長さを増加させることである。ペットの食事を快適にするために、ペット用ダイニングテーブルの高さが高く設計されるものが多い。高さを満たすと共に、折り畳まれたテーブル脚を相互干渉させないために、テーブル面の長さを長く設計しなければならない。しかしながら、ダイニングテーブル全体の体積が大きすぎることを引き起こし、またスパンが大きすぎるため、ダイニングテーブルの安定性に不利である。テーブル面１を略「Ｓ」形状に設計することにより、ダイニングテーブルの高さを保証すると共に、長さを保証し、体積を最大限小さくすることができる。テーブル脚を折り畳んだ時に相互交差させることができ、また相互干渉することがない。また、２つのボウル配置孔１１をずらすことは、テーブル面１の幅を増加させることに相当し、使用時、より安定している。
【００１７】
テーブル面の上表面の四周に沿って、上に突き出る上フランジ１３が設けられる。前記上フランジ１３はペットの食事中の餌が地上に落ちることを避けることができると共に、補強リブの役割を果たし、テーブル面を変形しにくくする。テーブル面下底面の四周に沿って、下に突き出る下フランジ１４が設けられる。該下フランジ１４は、補強リブの役割を果たし、テーブル面１をより安定させて変形しにくくする。
【００１８】
下フランジ１４の左右両端に開口１８が設けられ，該開口１８に、外に突き出るリブ１５が設けられる。
【００１９】
下フランジ１４の４つのコーナー部に、ハウジングである４つの回転雄軸１６がそれぞれ設けられ、該回転雄軸１６の下部に、三側に開口がある弾性凸状バックル１７が設けられる。
【００２０】
テーブル脚２は同様にプラスチック製である。テーブル脚２の上部の両端に、上記テーブル面１の回転雄軸１６に対応する回転雌軸２１がそれぞれ設けられる。該回転雌軸２１は、開口２２を有する半円形ハウジングである。該開口２２の幅はテーブル面の回転雄軸１６の直径よりも小さい。それにより取り付けられたテーブル脚２を脱落しないようにする。また取り付けを容易にするために、該半円形ハウジングの根元部に切欠き２３が設けられる。該切欠き２３の役割は、ハウジングの弾性を増加させ、テーブル脚の回転雌軸２１をテーブル面の回転雄軸１６に嵌着させることである。テーブル脚の回転雌軸２１の内部に凹状バックル２５が設けられ、該凹状バックル２５はテーブル面の回転雄軸１６の弾性凸状バックル１７に対応し、折り畳まれたテーブル脚をロックするために用いられる。具体的には、テーブル脚が折り畳まれた後、該弾性凸状バックル１７はテーブル脚の雌軸の凹状バックル２５に落下し、左右の二つのテーブル脚２をロックする。ロック解除時、手で軽く引く必要がある。
【００２１】
各テーブル脚２の両端の回転雌軸２５の中央に、テーブル面の下フランジ１４の左右の開口に対応するロックバックル２６が設けられる。テーブル脚２が展開される時、プラスチックの弾性により、該ロックバックル２６はテーブル面の底部の下フランジの開口の外に突き出るリブ１５に係合する。ロックされたテーブル脚２が揺れ動くことがなく、それによりダイニングテーブルの安定性を保証する。前記ロックバックル２６の中部にハンドル２７が設けられる。該ハンドル２７の役割は、テーブル脚２を折り畳む必要がある場合、手で該ハンドル２７を引くことにより、プラスチックの弾性変形を発生させ、ロックバックル２６を外し、テーブル脚２を折り畳み可能にすることである。
【符号の説明】
【００２２】
１  テーブル面、２  テーブル脚、１１  ボウル配置孔、１２  ボウル、１３  上フランジ、１４  下フランジ、１５  リブ、１６  回転雄軸、１７  弾性凸状バックル、１８  開口、２１  回転雌軸、２２  開口、２３  切欠き、２５  凹状バックル、２６  ロックバックル、２７  ハンドル
【図１】
0003212252.tif 000003
【図２】
0003212252.tif 000004
【図３】
0003212252.tif 000005
【図４】
0003212252.tif 000006
【図５】
0003212252.tif 000007
【図６】
0003212252.tif 000008
【図７】
0003212252.tif 000009
【図８】
0003212252.tif 000010